(57)【要約】【課題】パチンコ盤の傾斜角度が、正確で、容易に測定できる傾斜角度測定器と、パチンコ台の枠を垂直にする付属具とを提供する。【解決手段】パチンコ盤の傾斜角度を調節する傾斜角度測定器が、長尺なベース板、及び、ベース板の左右に立設させた側壁板と、水平状態を検知する気泡管が埋設された検知装置と、検知装置を側壁板に軸支して設け、検知装置の回転を手動で操作する操作部材と、操作部材の操作が、ベース板の長尺方向へ移動するように設けられたガイド手段と、操作部材の移動範囲内で側壁板に設けた目盛板と、操作部材、及び、検知装置を連結する連結部材と、当接部材とを備え、パチンコ盤の傾斜が、操作部材の移動距離で読み取れるように構成した。付属具は、傾斜角度測定器が取付けられるように構成され、パチンコ台の枠及び島の相対位置を調節する。【選択図】          図１
2004147752.tif 000002
【特許請求の範囲】
【請求項１】
パチンコ盤の傾斜角度を調節する際に利用される傾斜角度測定器であって、
前記傾斜角度測定器は、長尺なベース板、及び、前記ベース板の左右に立設させた側壁板と、
水平状態を検知する気泡管が埋設された検知装置と、
前記検知装置を前記側壁板に軸支して設け、前記検知装置の回転を手動で操作する操作部材と、
該操作部材の操作が、前記ベース板の長尺方向へ移動するように設けられたガイド手段と、
前記操作部材の移動範囲内で、前記側壁板に設けた目盛板と、
前記操作部材、及び、前記検知装置を連結する連結部材と、を備えた測定器本体と、
前記パチンコ盤の表面に当接させることにより、前記ベース板が前記パチンコ盤と平行になるように形成された当接部材と、を備え、
前記パチンコ盤の傾斜が、前記操作部材の移動距離で読み取れるように構成されていることを特徴とするパチンコ盤の傾斜角度測定器。
【請求項２】
前記当接部材は、前記測定器本体を保持する保持部材と、
該保持部材がパチンコ盤上の釘や装飾物より高くなるように、少なくとも３本を一方に突出させて設けた脚柱と、を備えたことを特徴とする請求項１に記載のパチンコ盤の傾斜角度測定器。
【請求項３】
前記測定器本体には、前記操作部材の移動を微調整する微調整手段が設けられており、
前記微調整手段は、前記操作部材に嵌挿される支持部材と、前記ベース板上に取付けられ、前記支持部材をその両端で担持する担持部材と、該担持部材の端部に設けられた弾性部材と、を備え、前記操作部材を固定手段で前記支持部材に固定させた状態で、前記操作部材の操作が弾性付勢されることを特徴とする請求項１または２に記載のパチンコ盤の傾斜角度測定器。
【請求項４】
パチンコ盤が備えられているパチンコ台の枠を島に嵌め込む際に、前記パチンコ台の枠の表面に当接させる付属具において、
該付属具は、請求項１ないし３のいずれか１項に記載の前記傾斜角度測定器が取付けられる取付手段と、
その表面に前記取付手段を設けた支持柱と、
前記測定器本体のベース板と平行になるように、前記支持柱の裏面の上下端に設けた当接板と、
前記パチンコ台の枠及び島の相対位置を調節する位置調節手段と、を備えていることを特徴とするパチンコ盤の傾斜角度測定器の付属具。
【発明の詳細な説明】
【０００１】
【発明の属する技術分野】
本発明は、パチンコ盤の傾斜角度を調節する際に利用される傾斜角度測定器、及び、その付属具に関する。
【０００２】
【従来の技術】
パチンコにおける出球の数は、パチンコ盤の傾斜角度によって、その出方が微妙に変化する。従って、日常の保守管理として好適な出球となるように、パチンコ盤、もしくは、パチンコ盤が備えられているパチンコ台の傾斜角度を測定し、その傾きを調節している。しかし、パチンコ盤の表面には、様々な修飾物や釘などが施されており、それらの隙間に傾斜計を押し当てて、パチンコ盤、もしくは、パチンコ台の傾斜を調節することは煩わしく、手間のかかる作業となっている。このような煩わしさを解決するものとして、特開平０９−１５５０５５号公報には、パチンコ台に傾斜計を取付けたものが開示されている。しかし、特に打ち出されたパチンコ玉は、その玉が落下するパチンコ盤の傾斜角度に影響されるものであり、パチンコ盤を保持するパチンコ台の傾斜とは、微妙に傾斜が異なっていることもあるので、より精密には、パチンコ盤の傾斜角度を測定するのがよい。このような理由から、パチンコ玉の出玉の数を調整するために、パチンコ盤の傾斜角度が手軽に測定できる傾斜角度測定器が必要であった。
【０００３】
【発明が解決しようとする課題】
パチンコ盤の傾斜角度を正確に測定することができ、また、手軽にパチンコ盤の傾斜角度が調節できる傾斜角度測定器と、パチンコ盤が備えられているパチンコ台の枠を島に嵌め込む際に、パチンコ台の枠が垂直に嵌め込まれるようにする付属具とを提供すること。
【０００４】
【課題を解決するための手段】
上記目的を達成するために、請求項１の本発明は、パチンコ盤の傾斜角度を調節する際に利用される傾斜角度測定器であって、前記傾斜角度測定器は、長尺なベース板、及び、前記ベース板の左右に立設させた側壁板と、水平状態を検知する気泡管が埋設された検知装置と、前記検知装置を前記側壁板に軸支して設け、前記検知装置の回転を手動で操作する操作部材と、該操作部材の操作が、前記ベース板の長尺方向へ移動するように設けられたガイド手段と、前記操作部材の移動範囲内で、前記側壁板に設けた目盛板と、前記操作部材、及び、前記検知装置を連結する連結部材と、を備えた測定器本体と、前記パチンコ盤の表面に当接させることにより、前記ベース板が前記パチンコ盤と平行になるように形成された当接部材と、を備え、前記パチンコ盤の傾斜が、前記操作部材の移動距離で読み取れるように構成されていることを特徴とする。
請求項２の本発明は、前記当接部材が、前記測定器本体を保持する保持部材と、該保持部材がパチンコ盤上の釘や装飾物より高くなるように、少なくとも３本を一方に突出させて設けた脚柱と、を備えたことを特徴とする。
請求項３の本発明は、前記測定器本体に、前記操作部材の移動を微調整する微調整手段が設けられており、前記微調整手段は、前記操作部材に嵌挿される支持部材と、前記ベース板上に取付けられ、前記支持部材をその両端で担持する担持部材と、該担持部材の端部に設けられた弾性部材と、を備え、前記操作部材を固定手段で前記支持部材に固定させた状態で、前記操作部材の操作が弾性付勢されることを特徴とする。
【０００５】
請求項４の本発明は、パチンコ盤が備えられているパチンコ台の枠を島に嵌め込む際に、前記パチンコ台の枠の表面に当接させる付属具において、該付属具は、請求項１ないし３のいずれか１項に記載の前記傾斜角度測定器が取付けられる取付手段と、その表面に前記取付手段を設けた支持柱と、前記測定器本体のベース板と平行になるように、前記支持柱の裏面の上下端に設けた当接板と、前記パチンコ台の枠及び島の相対位置を調節する位置調節手段と、を備えていることを特徴とする。
【０００６】
請求項１ないし３の発明により、当接部材を介してパチンコ盤の傾斜角度が精密に計測できるものとなり、測定される傾斜角度は、直線的な距離として読み取れるものとなる。また、パチンコ盤の傾斜角度の微妙な調整が容易にできるように構成されているので、一人の人間が、傾斜角度測定器を操作しながらパチンコ台の傾斜角度を調整できる。
【０００７】
請求項４の発明により、パチンコ盤が備えられているパチンコ台の枠を島に嵌め込む際に、パチンコ台の枠を島に垂直にする調整作業が手軽にできるものとなる。
【０００８】
【発明の実施の形態】
本発明の実施の形態を、図面を参照して具体的に説明する。本発明のパチンコ盤の傾斜角度測定器は、測定器本体と、パチンコ盤の表面に当接させる当接部材とが着脱自在に取付けられたものである。これにより、図１ないし図５で測定器本体２を示し、図６で当接部材を説明する。図１は測定器本体２を示した正面図であり、図２はその平面図である。これらの図１、２に示すように、測定器本体２は、ベース板４上の左右に側壁板１２を立設し、前方にはストッパ１３、後方には担持部材１１を、それぞれ固定して設け、支持部材１７が、その両端を担持部材１１に担持されて設けられている。さらに、水平状態を検知する検知装置５と、この検知装置５を操作する操作部材６とが連結部材９ａ、９ｂで連結されて設けられている。
【０００９】
側壁板１２の外壁には、操作部材６の移動範囲内で、目盛板８が設けられている。その目盛板８が設けられた側の側壁板１２の外側には、操作部材６の一部を突出させ、その突出部分の上面に、基準位置表示板８ａを接着している。また、固定部材２１でその一方を固定して補助棒１６が設けられいる。この補助棒１６には、操作部材６の突出部分が挿通している。さらに、ベース板４の前方、及び、後方には、後述する当接部材が取付けられるように、係止孔２４が設けられている。
【００１０】
検知装置５は、左右の側壁板１２に取付けた取付部材７に、軸１０で軸支して取付けられている。この検知装置５は、水平状態を検知するものであり、長尺な円筒管形状に形成された気泡管５ａが、ベース板４に対して傾くような縦の方向に回動する。即ち、気泡５ｂと液体が密封されて形成された気泡管５ａは、透明樹脂製の検知装置５に埋設されており、水平状態で、気泡５ｂが中央に貯留するように形成されている。
【００１１】
検知装置５は、第１の連結部材９ａ、及び、第２の連結部材９ｂを介して操作部材６に連結されている。第１の連結部材９ａは、略Ｕ字形状に形成され、一方の端部を検知装置５の円周面で軸１０により軸支し、他方の端部を同様に軸１０により、第２の連結部材９ｂで軸支している。第２の連結部材９ｂは、操作部材６に接合されている。
【００１２】
図３は、操作部材６の側面図である。操作部材６は、支持部材１７に挿通する挿通孔６ａが略中央に形成されると共に、下端には係合凸部６ｃが形成され、上端には、手でその操作が出来るように把持部材（図省略）が適宜備えられるように形成されている。また、側壁板１２の外側に、操作部材６の一部を突出させており、その突出部分に、補助棒１６を挿通する挿通孔６ｂが形成されている。
【００１３】
操作部材６、第１の連結部材９ａ、第２の連結部材９ｂは、それぞれ、ガイド手段により、ベース板４の長尺方向へ移動するように形成されている。即ち、第１の連結部材９ａの中央に設けられた凹部と、ベース板４上に設けられた凸部とが係合し、第１の連結部材９ａは、ベース板４上を摺動する。また、第２の連結部材９ｂは、担持部材１１に設けられたガイド凹部１１に係合して摺動する。このガイド凹部１１には、さらに、操作部材６の係合凸部６ｃが係合し、操作部材６の移動を規制している。また、操作部材６の挿通孔６ａには、支持部材１７が挿通され、操作部材６の突出部分に設けられた挿通孔６ｂには、補助棒１６が挿通されて摺動する。
【００１４】
図４は、測定器本体２の作動を説明するものであり、操作部材６の操作で、検知装置５を回動させたことを示している。即ち、パチンコ盤の傾斜に合わせて、手で操作部材６が操作できるように構成されたものであり、その操作部材６の移動距離で、パチンコ盤の傾斜が読み取れるものとなっている。また、逆に、操作部材６の移動距離を所定の移動距離に設定することにより、パチンコ盤の傾斜が調整できるものとなる。
【００１５】
図５は、操作部材６の移動を微調整する微調整手段を説明するものである。この微調整手段は、操作部材６に挿通されている支持部材１７を固定ネジ１８で固定し、操作部材６の操作が、バネ１９（弾性部材）により弾性付勢されることにより実施される。即ち、操作部材６が、支持部材１７に固定された状態で操作できるようになるので、検知装置５を僅かに回動させて、気泡５ｂの状態が確認できる。尚、突起部材２５が担持部材１１の後端に設けられているので、固定ネジ１８と共に、片手で把持し、操作部材６を操作することもできるようになっている。
【００１６】
図６は、パチンコ盤の表面に当接させる当接部材２０を示したものであり、（ａ）は平面図、（ｂ）は正面図、（ｃ）は側面図である。この当接部材２０は、測定器本体２を保持する保持部材２１が、角柱形状に形成されたものであり、その上面はベース板４と平行に取付けられるような平面を備え、取付ネジ２３でベース板４を取付けできるものである。保持部材２１の上方、及び、下方には、左右に延びる羽根部材が設けられており、その左右端には４本の脚柱２２が設けられている。この脚柱２２は、保持部材２１が、パチンコ盤上の釘や装飾物より高くなるように、所定高さで、一方に突出させて設けられている。このように構成された当接部材２０は、図７に示すように、当接部材２０に測定器本体２が取付けられて傾斜角度測定器１となり、その傾斜角度測定器１が、パチンコ台のパチンコ盤Ａに当接されて、パチンコ盤Ａの傾斜角度が測定されるものになる。
【００１７】
図８は、パチンコ台の枠Ｂに当接する枠当接部材３０（付属具）を示すと共に、その実施の形態を示したものである。この枠当接部材３０は、パチンコ盤Ａが備えられているパチンコ台の枠Ｂを枠状の島Ｃに嵌め込む際に、パチンコ台の枠Ｂの表面に当接させて、パチンコ台の枠Ｂを垂直にするものであり、傾斜角度測定器１（測定器本体２及び当接部材２０）が取付けられる取付部材３３を備えた支持柱３５と、その支持柱３５の上下端に当接板３４を設けている。また、支持柱３５の上端には、パチンコ台の枠Ｂ及び島Ｃの相対位置を調節する蝶ネジ３１（位置調節手段）が備えられ、傾斜角度が微調整できるものとなっている。
【００１８】
【発明の効果】
本発明は、以上説明したように構成されているので、以下に記載するような効果を奏する。
検知装置の回動する角度が、操作部材の移動距離で読み取れるように構成されているので、当接部材を介してパチンコ盤の傾斜角度が、直線的な距離として精密に読み取れる。
操作部材の操作が弾性付勢されることにより、パチンコ盤の傾斜角度の微妙な調整が容易にできる。
パチンコ盤の傾斜角度測定器の付属具は、パチンコ盤が備えられているパチンコ台の枠を島に嵌め込む際に、パチンコ台の枠を島に垂直にする調整作業が手軽にできるものとする。
【図面の簡単な説明】
【図１】測定器本体を示した正面図である。
【図２】測定器本体を示した平面図である。
【図３】操作部材の側面図である。
【図４】操作部材の作動を説明する説明図である。
【図５】操作部材の移動を微調整する微調整手段を説明する説明図で、（ａ）は正面図であり、（ｂ）は平面図である。
【図６】当接部材を示す（ａ）は平面図、（ｂ）は正面図、（ｃ）は側面図である。
【図７】傾斜角度測定器が、パチンコ盤に当接して使用されることを説明する説明図である。
【図８】枠当接部材（付属具）の構成と、その使用を説明する説明図である。
【符号の説明】
１  傾斜角度測定器
２  測定器本体
４  ベース板
５  検知装置
５ａ  気泡管
５ｂ  気泡
６  操作部材
６ａ、６ｂ  挿通孔
６ｃ  係合凸部
７  取付部材
８  目盛板
８ａ  基準位置表示板
９ａ  第１の連結部材
９ｂ  第２の連結部材
１０  軸
１１  担持部材
１２  側壁板
１３  ストッパ
１４  ガイド凸部
１５  ガイド凹部
１６  補助棒
１７  支持部材
１８  固定ネジ
１９  バネ
２０  当接部材
２１  保持部材
２２  脚柱
２３  取付ネジ
２４  係止孔
２５  突起部材
３０  枠当接部材
３１  蝶ネジ
３３  取付部材
３４  当接板
３５  支持柱
Ａ  パチンコ盤
Ｂ  パチンコ台の枠
Ｃ  島
【図１】
2004147752.tif 000003
【図２】
2004147752.tif 000004
【図３】
2004147752.tif 000005
【図４】
2004147752.tif 000006
【図５】
2004147752.tif 000007
【図６】
2004147752.tif 000008
【図７】
2004147752.tif 000009
【図８】
2004147752.tif 000010